(57)【要約】【課題】表示装置の姿勢が９０度回転した場合であっても操作性を低下させず、使い勝手の良い画面を表示できるようにする。【解決手段】表示装置３は、長方形状の表示領域を有する表示部２３を備え、表示部２３の向きを、第１の向きと、第１の向きから９０度回転させた第２の向きとに変化させることが可能である。表示装置３は、表示部２３の向きが第１の向きと第２の向きのいずれであるかを検知する姿勢検知センサー２５と、表示部２３の向きが第１の向きである場合に、ユーザーが操作可能な操作画面を表示領域の全体に配置した第１画面を表示部２３に表示させる第１表示制御部４１と、表示部２３の向きが第２の向きである場合に、表示領域の一部に操作画面を縮小して配置すると共に、表示領域の残部に操作画面に含まれるコンテンツを配置した第２画面を表示部２３に表示させる第２表示制御部４２と、を備える。【選択図】図２
2019121948.tif 000002
【特許請求の範囲】
【請求項１】
長方形状の表示領域を有する表示手段を備え、前記表示手段の向きを、第１の向きと、前記第１の向きから９０度回転させた第２の向きとに変化させることが可能な表示装置であって、
前記表示手段の向きが前記第１の向きと前記第２の向きのいずれであるかを検知する検知手段と、
前記表示手段の向きが前記第１の向きである場合に、ユーザーが操作可能な操作画面を前記表示領域の全体に配置した第１画面を前記表示手段に表示させる第１表示制御手段と、
前記表示手段の向きが前記第２の向きである場合に、前記表示領域の一部に前記操作画面を縮小して配置すると共に、前記表示領域の残部に前記操作画面に含まれるコンテンツを配置した第２画面を前記表示手段に表示させる第２表示制御手段と、
を備えることを特徴とする表示装置。
【請求項２】
前記表示領域の残部に配置されるコンテンツには、プレビュー画像、文字列又は操作ボタンが含まれることを特徴とする請求項１に記載の表示装置。
【請求項３】
前記操作画面ごとに、前記第２画面において前記表示領域の残部に配置すべきコンテンツを予め登録したコンテンツ登録情報を記憶する記憶手段、
を更に備え、
前記第２表示制御手段は、前記表示手段の向きが前記第２の向きである場合に、前記コンテンツ登録情報に基づいて、前記表示領域の残部に、前記操作画面に含まれるコンテンツを配置することにより前記第２画面を生成することを特徴とする請求項１又は２に記載の表示装置。
【請求項４】
前記第２表示制御手段は、前記表示手段に前記第２画面を表示している状態で前記操作画面を更新するとき、更新後の前記操作画面に対応する前記コンテンツ登録情報に基づいて、更新後の前記操作画面に対応する前記第２画面を生成することを特徴とする請求項３に記載の表示装置。
【請求項５】
ユーザーによる操作に基づいて前記コンテンツ登録情報に対するコンテンツの登録又は更新を行うコンテンツ設定手段を更に備えることを特徴とする請求項３又は４に記載の表示装置。
【請求項６】
前記第２表示制御手段は、前記表示領域の残部に対して前記操作画面に含まれるコンテンツを配置するとき、前記第１画面において表示されるコンテンツサイズと同サイズ以上で配置することを特徴とする請求項１乃至５のいずれかに記載の表示装置。
【請求項７】
前記第２表示制御手段は、前記表示領域の残部に配置すべき複数のコンテンツの全てを前記表示領域の残部に配置することができない場合、前記複数のコンテンツをスクロール表示可能な状態で前記表示領域の残部に配置することを特徴とする請求項１乃至６のいずれかに記載の表示装置。
【請求項８】
ステータスを管理するステータス管理手段、
を更に備え、
前記第２表示制御手段は、前記ステータスが正常状態であるとき、前記表示領域の残部に対して複数のコンテンツを配置するときにユーザーが操作可能な操作ボタンを優先的に配置することを特徴とする請求項１乃至７のいずれかに記載の表示装置。
【請求項９】
前記第２表示制御手段は、前記ステータスが異常状態であるとき、前記表示領域の残部に対して複数のコンテンツを配置するときに、前記異常状態を示す文字列を優先的に配置することを特徴とする請求項８に記載の表示装置。
【請求項１０】
前記第２表示制御手段は、前記操作画面に含まれるコンテンツを前記表示領域の残部に配置して表示させるとき、前記表示領域の一部に縮小して配置される前記操作画面において当該コンテンツが含まれる位置を表示することを特徴とする請求項１乃至９のいずれかに記載の表示装置。
【請求項１１】
前記第２表示制御手段は、前記表示領域の一部に縮小して配置した前記操作画面に対するユーザーの操作を受け付け可能であると共に、前記表示領域の残部に配置したコンテンツに対するユーザーの操作を受け付け可能であることを特徴とする請求項１乃至１０のいずれかに記載の表示装置。
【請求項１２】
長方形状の表示領域を有する表示手段を備え、前記表示手段の向きを、第１の向きと、前記第１の向きから９０度回転させた第２の向きとに変化させることが可能な画像処理装置であって、
前記表示手段の向きが前記第１の向きと前記第２の向きのいずれであるかを検知する検知手段と、
前記表示手段の向きが前記第１の向きである場合に、ユーザーが操作可能な操作画面を前記表示領域の全体に配置した第１画面を前記表示手段に表示させる第１表示制御手段と、
前記表示手段の向きが前記第２の向きである場合に、前記表示領域の一部に前記操作画面を縮小して配置すると共に、前記表示領域の残部に前記操作画面に含まれるコンテンツを配置した第２画面を前記表示手段に表示させる第２表示制御手段と、
前記第１表示制御手段によって前記第１画面が表示されているときには、前記表示領域の全体で表示される前記操作画面に対するユーザーの操作に基づいてジョブの実行を制御し、前記第２表示制御手段によって前記第２画面が表示されているときには、前記表示領域の一部に縮小して表示される前記操作画面又は前記表示領域の残部において表示されるコンテンツに対するユーザーの操作に基づいてジョブの実行を制御するジョブ制御手段と、
を備えることを特徴とする画像処理装置。
【請求項１３】
前記表示領域の残部に配置されるコンテンツには、プレビュー画像、文字列又は操作ボタンが含まれることを特徴とする請求項１２に記載の画像処理装置。
【請求項１４】
前記操作画面ごとに、前記第２画面において前記表示領域の残部に配置すべきコンテンツを予め登録したコンテンツ登録情報を記憶する記憶手段、
を更に備え、
前記第２表示制御手段は、前記表示手段の向きが前記第２の向きである場合に、前記コンテンツ登録情報に基づいて、前記表示領域の残部に、前記操作画面に含まれるコンテンツを配置することにより前記第２画面を生成することを特徴とする請求項１２又は１３に記載の画像処理装置。
【請求項１５】
前記第２表示制御手段は、前記表示手段に前記第２画面を表示している状態で前記操作画面を更新するとき、更新後の前記操作画面に対応する前記コンテンツ登録情報に基づいて、更新後の前記操作画面に対応する前記第２画面を生成することを特徴とする請求項１４に記載の画像処理装置。
【請求項１６】
ユーザーによる操作に基づいて前記コンテンツ登録情報に対するコンテンツの登録又は更新を行うコンテンツ設定手段を更に備えることを特徴とする請求項１４又は１５に記載の画像処理装置。
【請求項１７】
前記第２表示制御手段は、前記表示領域の残部に対して前記操作画面に含まれるコンテンツを配置するとき、前記第１画面において表示されるコンテンツサイズと同サイズ以上で配置することを特徴とする請求項１２乃至１６のいずれかに記載の画像処理装置。
【請求項１８】
前記第２表示制御手段は、前記表示領域の残部に配置すべき複数のコンテンツの全てを前記表示領域の残部に配置することができない場合、前記複数のコンテンツをスクロール表示可能な状態で前記表示領域の残部に配置することを特徴とする請求項１２乃至１７のいずれかに記載の画像処理装置。
【請求項１９】
前記画像処理装置のステータスを管理するステータス管理手段、
を更に備え、
前記第２表示制御手段は、前記ステータスが正常状態であるとき、前記表示領域の残部に対して複数のコンテンツを配置するときにユーザーが操作可能な操作ボタンを優先的に配置することを特徴とする請求項１２乃至１８のいずれかに記載の画像処理装置。
【請求項２０】
前記第２表示制御手段は、前記ステータスが異常状態であるとき、前記表示領域の残部に対して複数のコンテンツを配置するときに、前記異常状態を示す文字列を優先的に配置することを特徴とする請求項１９に記載の画像処理装置。
【請求項２１】
前記第２表示制御手段は、前記操作画面に含まれるコンテンツを前記表示領域の残部に配置して表示させるとき、前記表示領域の一部に縮小して配置される前記操作画面において当該コンテンツが含まれる位置を表示することを特徴とする請求項１２乃至２０のいずれかに記載の画像処理装置。
【請求項２２】
原稿の画像を読み取って画像データを生成する画像読取手段、
を更に備え、
前記第２表示制御手段は、前記画像読取手段によって生成される画像データに基づくプレビュー画像を前記表示領域の残部に配置して表示させることが可能であることを特徴とする請求項１２乃至２１のいずれかに記載の画像処理装置。
【請求項２３】
長方形状の表示領域を有する表示手段を備え、前記表示手段の向きを、第１の向きと、前記第１の向きから９０度回転させた第２の向きとに変化させることが可能な表示装置において実行されるプログラムであって、前記表示装置に、
前記表示手段の向きが前記第１の向きと前記第２の向きのいずれであるかを検知する検知ステップと、
前記検知ステップにおいて前記表示手段の向きが前記第１の向きであると検知された場合に、ユーザーが操作可能な操作画面を前記表示領域の全体に配置した第１画面を前記表示手段に表示させる第１表示制御ステップと、
前記検知ステップにおいて前記表示手段の向きが前記第２の向きであると検知された場合に、前記表示領域の一部に前記操作画面を縮小して配置すると共に、前記表示領域の残部に前記操作画面に含まれるコンテンツを配置した第２画面を前記表示手段に表示させる第２表示制御ステップと、
を実行させることを特徴とするプログラム。
【発明の詳細な説明】
【技術分野】
【０００１】
本発明は、表示装置、画像処理装置及びプログラムに関し、特に表示装置の姿勢に応じて表示画面を制御する技術に関する。
【背景技術】
【０００２】
ＭＦＰ（Multifunction Peripherals）などの画像処理装置は、タッチパネル式の表示装置を備えている。表示装置は、画像処理装置の操作パネルとして設けられ、ユーザーが画像処理装置を使用する際のユーザーインタフェースとなる。つまり、表示装置は、ユーザーが操作可能な各種の操作画面を表示し、操作画面に対するユーザーの操作を受け付ける。この種の表示装置は、長方形状の表示領域を有するのが一般的である。
【０００３】
近年、この種の画像処理装置において、表示装置の姿勢（向き）をユーザーが適宜変化させることができるようにしたものが知られている（例えば特許文献１）。この従来技術ででは、ユーザーが表示装置を回転させることにより、長方形状の表示領域の長手方向が左右方向（横方向）となる第１の姿勢（第１の向き）と、表示領域の長手方向が上下方向（縦方向）となる第２の姿勢（第２の向き）とに変化させることが可能である。そして第１の向きから第２の向きに変化させた場合、表示装置は、第１の向きのときに表示していた一部の画像を回転させて拡大表示することにより、第２の向きに合わせた画面を表示する。すなわち、この従来技術は、表示装置が第１の向きであるときには画面内に複数のコンテンツを表示し、表示装置が第１の向きから第２の向きに変化すると、複数のコンテンツのうちの一部のコンテンツだけを拡大して全画面表示するのである。
【０００４】
このような従来技術では、表示装置の回転前に表示されていた一部のコンテンツが回転後には表示されなくなるため、表示装置の回転によって表示されなくなったコンテンツをユーザーが確認するためには表示装置の姿勢を元に戻す必要がある。特に表示装置の回転によってユーザーが操作するための操作ボタンが表示されなくなると、ユーザーは表示装置を回転させた状態で所望の操作を行うことができなくなる。そのため、ユーザーは、所望の操作を行うために表示装置を元の姿勢に戻さなくてはならず、操作性が低下するという問題がある。
【先行技術文献】
【特許文献】
【０００５】
【特許文献１】特開２０１３−１４０５０４号公報
【発明の概要】
【発明が解決しようとする課題】
【０００６】
本発明は、上記課題を解決するためになされたものであり、表示装置の姿勢が変化した場合であっても操作性を低下させず、使い勝手の良い画面を表示できるようにした表示装置、画像処理装置及びプログラムを提供することを目的とする。
【課題を解決するための手段】
【０００７】
上記目的を達成するため、請求項１に係る発明は、長方形状の表示領域を有する表示手段を備え、前記表示手段の向きを、第１の向きと、前記第１の向きから９０度回転させた第２の向きとに変化させることが可能な表示装置であって、前記表示手段の向きが前記第１の向きと前記第２の向きのいずれであるかを検知する検知手段と、前記表示手段の向きが前記第１の向きである場合に、ユーザーが操作可能な操作画面を前記表示領域の全体に配置した第１画面を前記表示手段に表示させる第１表示制御手段と、前記表示手段の向きが前記第２の向きである場合に、前記表示領域の一部に前記操作画面を縮小して配置すると共に、前記表示領域の残部に前記操作画面に含まれるコンテンツを配置した第２画面を前記表示手段に表示させる第２表示制御手段と、を備えることを特徴としている。
【０００８】
請求項２に係る発明は、請求項１に記載の表示装置において、前記表示領域の残部に配置されるコンテンツには、プレビュー画像、文字列又は操作ボタンが含まれることを特徴としている。
【０００９】
請求項３に係る発明は、請求項１又は２に記載の表示装置において、前記操作画面ごとに、前記第２画面において前記表示領域の残部に配置すべきコンテンツを予め登録したコンテンツ登録情報を記憶する記憶手段、を更に備え、前記第２表示制御手段は、前記表示手段の向きが前記第２の向きである場合に、前記コンテンツ登録情報に基づいて、前記表示領域の残部に、前記操作画面に含まれるコンテンツを配置することにより前記第２画面を生成することを特徴としている。
【００１０】
請求項４に係る発明は、請求項３に記載の表示装置において、前記第２表示制御手段は、前記表示手段に前記第２画面を表示している状態で前記操作画面を更新するとき、更新後の前記操作画面に対応する前記コンテンツ登録情報に基づいて、更新後の前記操作画面に対応する前記第２画面を生成することを特徴としている。
【００１１】
請求項５に係る発明は、請求項３又は４に記載の表示装置において、ユーザーによる操作に基づいて前記コンテンツ登録情報に対するコンテンツの登録又は更新を行うコンテンツ設定手段を更に備えることを特徴としている。
【００１２】
請求項６に係る発明は、請求項１乃至５のいずれかに記載の表示装置において、前記第２表示制御手段は、前記表示領域の残部に対して前記操作画面に含まれるコンテンツを配置するとき、前記第１画面において表示されるコンテンツサイズと同サイズ以上で配置することを特徴としている。
【００１３】
請求項７に係る発明は、請求項１乃至６のいずれかに記載の表示装置において、前記第２表示制御手段は、前記表示領域の残部に配置すべき複数のコンテンツの全てを前記表示領域の残部に配置することができない場合、前記複数のコンテンツをスクロール表示可能な状態で前記表示領域の残部に配置することを特徴としている。
【００１４】
請求項８に係る発明は、請求項１乃至７のいずれかに記載の表示装置において、ステータスを管理するステータス管理手段、を更に備え、前記第２表示制御手段は、前記ステータスが正常状態であるとき、前記表示領域の残部に対して複数のコンテンツを配置するときにユーザーが操作可能な操作ボタンを優先的に配置することを特徴としている。
【００１５】
請求項９に係る発明は、請求項８に記載の表示装置において、前記第２表示制御手段は、前記ステータスが異常状態であるとき、前記表示領域の残部に対して複数のコンテンツを配置するときに、前記異常状態を示す文字列を優先的に配置することを特徴としている。
【００１６】
請求項１０に係る発明は、請求項１乃至９のいずれかに記載の表示装置において、前記第２表示制御手段は、前記操作画面に含まれるコンテンツを前記表示領域の残部に配置して表示させるとき、前記表示領域の一部に縮小して配置される前記操作画面において当該コンテンツが含まれる位置を表示することを特徴としている。
【００１７】
請求項１１に係る発明は、請求項１乃至１０のいずれかに記載の表示装置において、前記第２表示制御手段は、前記表示領域の一部に縮小して配置した前記操作画面に対するユーザーの操作を受け付け可能であると共に、前記表示領域の残部に配置したコンテンツに対するユーザーの操作を受け付け可能であることを特徴としている。
【００１８】
請求項１２に係る発明は、長方形状の表示領域を有する表示手段を備え、前記表示手段の向きを、第１の向きと、前記第１の向きから９０度回転させた第２の向きとに変化させることが可能な画像処理装置であって、前記表示手段の向きが前記第１の向きと前記第２の向きのいずれであるかを検知する検知手段と、前記表示手段の向きが前記第１の向きである場合に、ユーザーが操作可能な操作画面を前記表示領域の全体に配置した第１画面を前記表示手段に表示させる第１表示制御手段と、前記表示手段の向きが前記第２の向きである場合に、前記表示領域の一部に前記操作画面を縮小して配置すると共に、前記表示領域の残部に前記操作画面に含まれるコンテンツを配置した第２画面を前記表示手段に表示させる第２表示制御手段と、前記第１表示制御手段によって前記第１画面が表示されているときには、前記表示領域の全体で表示される前記操作画面に対するユーザーの操作に基づいてジョブの実行を制御し、前記第２表示制御手段によって前記第２画面が表示されているときには、前記表示領域の一部に縮小して表示される前記操作画面又は前記表示領域の残部において表示されるコンテンツに対するユーザーの操作に基づいてジョブの実行を制御するジョブ制御手段と、を備えることを特徴としている。
【００１９】
請求項１３に係る発明は、請求項１２に記載の画像処理装置において、前記表示領域の残部に配置されるコンテンツには、プレビュー画像、文字列又は操作ボタンが含まれることを特徴としている。
【００２０】
請求項１４に係る発明は、請求項１２又は１３に記載の画像処理装置において、前記操作画面ごとに、前記第２画面において前記表示領域の残部に配置すべきコンテンツを予め登録したコンテンツ登録情報を記憶する記憶手段、を更に備え、前記第２表示制御手段は、前記表示手段の向きが前記第２の向きである場合に、前記コンテンツ登録情報に基づいて、前記表示領域の残部に、前記操作画面に含まれるコンテンツを配置することにより前記第２画面を生成することを特徴としている。
【００２１】
請求項１５に係る発明は、請求項１４に記載の画像処理装置において、前記第２表示制御手段は、前記表示手段に前記第２画面を表示している状態で前記操作画面を更新するとき、更新後の前記操作画面に対応する前記コンテンツ登録情報に基づいて、更新後の前記操作画面に対応する前記第２画面を生成することを特徴としている。
【００２２】
請求項１６に係る発明は、請求項１４又は１５に記載の画像処理装置において、ユーザーによる操作に基づいて前記コンテンツ登録情報に対するコンテンツの登録又は更新を行うコンテンツ設定手段を更に備えることを特徴としている。
【００２３】
請求項１７に係る発明は、請求項１２乃至１６のいずれかに記載の画像処理装置において、前記第２表示制御手段は、前記表示領域の残部に対して前記操作画面に含まれるコンテンツを配置するとき、前記第１画面において表示されるコンテンツサイズと同サイズ以上で配置することを特徴としている。
【００２４】
請求項１８に係る発明は、請求項１２乃至１７のいずれかに記載の画像処理装置において、前記第２表示制御手段は、前記表示領域の残部に配置すべき複数のコンテンツの全てを前記表示領域の残部に配置することができない場合、前記複数のコンテンツをスクロール表示可能な状態で前記表示領域の残部に配置することを特徴としている。
【００２５】
請求項１９に係る発明は、請求項１２乃至１８のいずれかに記載の画像処理装置において、前記画像処理装置のステータスを管理するステータス管理手段、を更に備え、前記第２表示制御手段は、前記ステータスが正常状態であるとき、前記表示領域の残部に対して複数のコンテンツを配置するときにユーザーが操作可能な操作ボタンを優先的に配置することを特徴としている。
【００２６】
請求項２０に係る発明は、請求項１９に記載の画像処理装置において、前記第２表示制御手段は、前記ステータスが異常状態であるとき、前記表示領域の残部に対して複数のコンテンツを配置するときに、前記異常状態を示す文字列を優先的に配置することを特徴としている。
【００２７】
請求項２１に係る発明は、請求項１２乃至２０のいずれかに記載の画像処理装置において、前記第２表示制御手段は、前記操作画面に含まれるコンテンツを前記表示領域の残部に配置して表示させるとき、前記表示領域の一部に縮小して配置される前記操作画面において当該コンテンツが含まれる位置を表示することを特徴としている。
【００２８】
請求項２２に係る発明は、請求項１２乃至２１のいずれかに記載の画像処理装置において、原稿の画像を読み取って画像データを生成する画像読取手段、を更に備え、前記第２表示制御手段は、前記画像読取手段によって生成される画像データに基づくプレビュー画像を前記表示領域の残部に配置して表示させることが可能であることを特徴としている。
【００２９】
請求項２３に係る発明は、長方形状の表示領域を有する表示手段を備え、前記表示手段の向きを、第１の向きと、前記第１の向きから９０度回転させた第２の向きとに変化させることが可能な表示装置において実行されるプログラムであって、前記表示装置に、前記表示手段の向きが前記第１の向きと前記第２の向きのいずれであるかを検知する検知ステップと、前記検知ステップにおいて前記表示手段の向きが前記第１の向きであると検知された場合に、ユーザーが操作可能な操作画面を前記表示領域の全体に配置した第１画面を前記表示手段に表示させる第１表示制御ステップと、前記検知ステップにおいて前記表示手段の向きが前記第２の向きであると検知された場合に、前記表示領域の一部に前記操作画面を縮小して配置すると共に、前記表示領域の残部に前記操作画面に含まれるコンテンツを配置した第２画面を前記表示手段に表示させる第２表示制御ステップと、を実行させることを特徴としている。
【発明の効果】
【００３０】
本発明によれば、表示装置の姿勢が９０度回転した場合であっても操作性を低下させず、ユーザーにとって使い勝手の良い画面を表示することができるようになる。
【図面の簡単な説明】
【００３１】
【図１】画像処理装置の外観構成の一例を示す図である。
【図２】第１実施形態における画像処理装置のハードウェア構成及び機能構成の一例を示すブロック図である。
【図３】操作画面情報の一例を示す図である。
【図４】表示装置が第１の向き及び第２の向きのそれぞれの場合を例示する図である。
【図５】コンテンツ登録情報の一例を示す図である。
【図６】表示部に表示される第１画面及び第２画面の例を示す図である。
【図７】画像処理装置が異常状態である場合に表示部に表示される第１画面及び第２画面の例を示す図である。
【図８】第２表示制御部による第２画面の更新例を示す図である。
【図９】プレビュー画像を含む操作画面が表示される場合の第１画面及び第２画面の例を示す図である。
【図１０】複数のコンテンツをスクロール表示可能な第２画面を生成する例を示す図である。
【図１１】表示装置において行われる処理手順の一例を示すフローチャートである。
【図１２】第２実施形態における画像処理装置のハードウェア構成及び機能構成の一例を示すブロック図である。
【図１３】表示部の長手方向が上下方向（縦方向）となる向きを基本姿勢（第１の向き）とした場合の画面例を示す図である。
【発明を実施するための形態】
【００３２】
以下、本発明に関する好ましい実施形態について図面を参照しつつ詳細に説明する。尚、以下に説明する実施形態において互いに共通する部材には同一符号を付しており、それらについての重複する説明は省略する。
【００３３】
（第１実施形態）
まず本発明の第１実施形態について説明する。図１は、画像処理装置１の外観構成の一例を示す図である。画像処理装置１は、コピー機能、スキャン機能、プリント機能、ＦＡＸ機能などの複数の機能を搭載したＭＦＰである。この画像処理装置１は、複数の機能のうちからユーザーによって選択された機能を動作させてジョブを実行する装置本体２と、装置本体２の正面側に配置される表示装置３とを備えている。
【００３４】
表示装置３は、ユーザーが画像処理装置１を操作する際の操作パネルとして設けられたものであり、ユーザーが操作可能な各種の操作画面を表示すると共に、ユーザーによる操作を受け付ける。例えば、表示装置３は、装置本体２と有線又は無線で通信可能であり、装置本体２を操作するための操作画面を表示し、ユーザーによる操作を受け付けると、その操作に基づく操作情報を装置本体２へ送信する。これにより、表示装置３は、ユーザーの操作に基づいて装置本体２を動作させることができる。
【００３５】
このような表示装置３は、長方形状の表示領域を有する表示部２３を有している。また表示装置３は、装置本体２によって少なくとも９０度回転可能に保持されている。したがって、表示装置３は、図１（ａ）に示すように表示部２３の長手方向が左右方向（横方向）となる第１の姿勢（第１の向き）と、図１（ｂ）に示すように表示部２３の長手方向が上下方向（縦方向）となる第２の姿勢（第２の向き）とにその姿勢を変化させることが可能である。つまり、表示装置３は、９０度回転することにより、第１の向きと第２の向きの間でその姿勢を変化させる。
【００３６】
また表示装置３は、装置本体２に対して着脱可能であっても構わない。装置本体２に対して着脱可能である場合、ユーザーは、表示装置３を装置本体２から取り外した状態で表示装置３を回転させることにより、表示装置３を第１の向きと第２の向きとに変化させることが可能である。
【００３７】
表示装置３は、図１（ａ）に示すように第１の向きにあるときと、図１（ｂ）に示すように第２の向きにあるときとで、表示部２３に表示する操作画面の表示態様を切り替える。すなわち、表示装置３は、第１の向き及び第２の向きのいずれか一方のときに表示部２３に全画面表示させるように予め設計された操作画面を保持しており、ユーザーによる回転操作によって姿勢が変化した場合には、その操作画面に基づいて姿勢変化後に表示すべき画面を自動生成する。本実施形態の表示装置３は、一例として、図１（ａ）に示すように第１の向きである状態を基本姿勢としており、第１の向きのときに表示部２３に全画面表示させるように予め設計された操作画面を保持しており、ユーザーによる回転操作によって第１の向きから第２の向きに変化した場合には、第１の向きのときに全画面表示させる操作画面を加工し、第２の向きに適合する画面を自動生成する。以下、これについて詳しく説明する。
【００３８】
図２は、第１実施形態における画像処理装置１のハードウェア構成及び機能構成の一例を示すブロック図である。図２に示すように、装置本体２と表示装置３は、互いに通信可能なように接続される。
【００３９】
装置本体２は、ハードウェアとして、制御部１０と、通信インタフェース１１と、スキャナ部１２と、プリンタ部１３と、ＦＡＸ部１４とを備えている。制御部１０は、装置本体２における各部の動作を制御するものである。制御部１０は、図示を省略するＣＰＵ及びメモリを備えており、ＣＰＵが所定のプログラムを実行することにより、ジョブ制御部１５及びステータス管理部１６として機能する。
【００４０】
ジョブ制御部１５は、表示装置３から受信する操作情報に基づき、ジョブに関する各種処理を実行する。例えば操作情報がジョブの設定を指示するものである場合、ジョブ制御部１５は、操作情報に基づいてジョブの設定を行う。また操作情報がジョブの実行開始を指示するものである場合、ジョブ制御部１５は、スキャナ部１２、プリンタ部１３及びＦＡＸ部１４のうちの少なくとも１つを動作させてユーザーによって指定されたジョブの実行を制御する。
【００４１】
またジョブ制御部１５は、各種情報を表示装置３へ出力することが可能である。例えばジョブ制御部１５は、ジョブの実行に伴って取得される画像データを表示装置３へ出力し、その画像データに基づくプレビュー画像を表示装置３において表示させることが可能である。
【００４２】
ステータス管理部１６は、画像処理装置１のステータスが正常状態と異常状態のいずれであるかを管理するものである。画像処理装置１において何も異常が発生していない状態は正常状態である。これに対し、装置本体２において紙詰まりやトナーエンプティ、用紙エンプティなどが検知されると、画像処理装置１のステータスは正常状態から異常状態に切り替わる。そしてステータス管理部１６は、画像処理装置１の現在のステータスを、通信インタフェース１１を介して表示装置３へ出力する。
【００４３】
通信インタフェース１１は、表示装置３と有線又は無線による１対１の通信を行うものである。制御部１０は、この通信インタフェース１１を介して、表示装置３へ各種情報を送信すると共に、表示装置３から送信される情報を受信する。通信インタフェース１１は、表示装置３が装置本体２に装着されているか否かに応じて、表示装置３との通信形態を有線通信及び無線通信のいずれか一方に切り替えるようにしても良い。例えば通信インタフェース１１は、表示装置３が装置本体２に装着されている場合に表示装置３と有線通信を行い、表示装置３が装置本体２から取り外されている場合に表示装置３と無線通信を行うようにしても良い。
【００４４】
スキャナ部１２は、コピージョブやスキャンジョブの実行時に機能し、ユーザーによってセットされた原稿の画像を光学的に読み取って画像データを生成する。スキャナ部１２は、画像データを生成すると、その画像データをジョブ制御部１５へ出力する。スキャナ部１２は、自動原稿搬送装置（ＡＤＦ）を備えるものであっても良い。自動原稿搬送装置を備えたスキャナ部１２は、原稿の自動搬送中に原稿の紙詰まりが生じると、ステータス管理部１６に対して異常の発生を通知する。
【００４５】
プリンタ部１３は、コピージョブやプリントジョブの実行時に機能し、ジョブ制御部１５から入力する画像データに基づいて印刷出力を行う。プリンタ部１３は、ジョブの実行中に用紙の紙詰まりやトナーエンプティ、用紙エンプティなどが生じると、ステータス管理部１６に対して異常の発生を通知する。
【００４６】
ＦＡＸ部１４は、公衆電話網を介してＦＡＸデータの送受信を行うものである。ＦＡＸ部１４は、ジョブ制御部１５から入力する画像データをＦＡＸデータに変換し、そのＦＡＸデータを指定された宛先に送信する。またＦＡＸ部１４は、公衆電話網からＦＡＸデータを受信すると、そのＦＡＸデータを画像データに変換し、ジョブ制御部１５へ出力する。
【００４７】
表示装置３は、ハードウェアとして、ＣＰＵ２０と、記憶部２１と、通信インタフェース２２と、表示部２３と、操作部２４と、姿勢検知センサー２５とを備えている。
【００４８】
ＣＰＵ２０は、プログラムを実行することにより、各部の動作を制御するハードウェアプロセッサである。表示装置３に電源が投入されると、ＣＰＵ２０は、記憶部２１に記憶されているプログラム２６を読み出して実行する。これにより、ＣＰＵ２０は、表示制御部３０、操作検知部３１、コンテンツ設定部３２及びステータス管理部３３として機能する。これら各部の詳細については後述する。
【００４９】
記憶部２１は、例えばＳＳＤ（ソリッドステートドライブ）などによって構成される不揮発性の記憶デバイスであり、コンピュータ読み取り可能な記録媒体の一種である。記憶部２１は、上述したプログラム２６を予め記憶している。また記憶部２１は、表示部２３に表示するための各種操作画面が記録された操作画面情報２７を記憶している。さらに記憶部２１には、コンテンツ登録情報２８が予め保存されている。操作画面情報２７及びコンテンツ登録情報２８の詳細については後述する。
【００５０】
通信インタフェース２２は、装置本体２と有線又は無線による１対１の通信を行うものである。ＣＰＵ２０は、この通信インタフェース２２を介して、装置本体２から各種情報を取得すると共に、装置本体２へ操作情報を含む各種情報を送信することが可能である。通信インタフェース２２は、表示装置３が装置本体２に装着されているか否かに応じて、装置本体２との通信形態を有線通信及び無線通信のいずれか一方に切り替えるようにしても良い。例えば通信インタフェース２２は、表示装置３が装置本体２に装着されている場合に装置本体２と有線通信を行い、表示装置３が装置本体２から取り外されている場合に装置本体２と無線通信を行うようにしても良い。
【００５１】
表示部２３は、例えばカラー液晶ディスプレイで表示され、画像処理装置１を使用しようとするユーザーに対して各種の操作画面を表示する。表示部２３は、上述したように長方形状の表示領域を有しており、その表示領域の全体に対して１つの操作画面を表示することが可能である。また、表示部２３は、長方形状の表示領域を複数に分割し、個々の表示領域に異なる画像を表示することも可能である。この表示部２３は、ＣＰＵ２０から出力される画面を表示領域に表示することにより、ユーザーが操作可能な各種の操作画面を表示する。尚、本実施形態では、表示部２３のアスペクト比が１６：９である場合を例示する。ただし、表示部２３のアスペクト比は、必ずしも１６：９に限られるものではない。
【００５２】
操作部２４は、ユーザーの操作を受け付けるものである。操作部２４は、例えば表示部２３の表示領域に設けられるタッチパネルキーによって構成される。また操作部２４は、タッチパネルキーの他に、表示領域の周囲に配置される押しボタンキーを備えていても良い。操作部２４は、ユーザーの操作を検知すると、その操作位置を示す情報をＣＰＵ２０へ出力する。
【００５３】
姿勢検知センサー２５は、表示装置３の姿勢を検知するセンサーである。すなわち、姿勢検知センサー２５は、表示装置３が第１の姿勢（第１の向き）及び第２の姿勢（第２の向き）のいずれの姿勢であるかを検知することが可能なセンサーである。姿勢検知センサー２５は、表示装置３の姿勢を常時検知するように構成されており、表示装置３の現在の姿勢をＣＰＵ２０へ出力する。
【００５４】
表示制御部３０は、表示部２３に表示する画面を制御するものである。表示制御部３０は、姿勢検知センサー２５によって検知される現在の表示装置３の姿勢に基づき、表示部２３に表示する操作画面の表示態様を制御する。このような表示制御部３０は、第１表示制御部４１と、第２表示制御部４２とを備えている。
【００５５】
第１表示制御部４１は、表示装置３が第１の姿勢（第１の向き）である場合に機能する。第１表示制御部４１は、記憶部２１に記憶されている操作画面情報２７から表示部２３に表示するための操作画面を読み出し、その操作画面を表示領域の全体に配置した第１画面を表示部２３に表示させる。
【００５６】
図３は、記憶部２１に記憶される操作画面情報２７の一例を示す図である。操作画面情報２７は、表示装置３が第１の姿勢（第１の向き）であるときに表示部２３において全画面表示させるための複数の操作画面Ｇ１，Ｇ２，Ｇ３，…を記録した情報である。すなわち、操作画面情報２７に蓄積されている各操作画面Ｇ１，Ｇ２，Ｇ３，…のアスペクト比は、１６：９である。例えば操作画面Ｇ１は、ユーザーがコピー機能を選択した場合にコピー機能に関する各種設定を行うための画面となっている。この他にも、操作画面情報２７には、様々な操作画面が記録されている。
【００５７】
図４は、表示装置３が第１の向き及び第２の向きのそれぞれの場合を例示する図である。図４（ａ）に示すように、表示装置３が第１の向きである場合、表示部２３の表示領域はアスペクト比が１６：９となる。そのため、第１表示制御部４１は、表示領域の全体の領域Ｒに対し、操作画面情報２７から読み出した操作画面をそのまま表示領域の全体に配置することにより、アスペクト比１６：９で予め作成されている操作画面を表示部２３において全画面表示させることができる。したがって、表示装置３が第１の向きのときに表示部２３において表示される第１画面は、操作画面情報２７に記録されている操作画面Ｇ１，Ｇ２，Ｇ３，…をそのまま全画面表示させた画面となる。
【００５８】
第２表示制御部４２は、表示装置３が第２の姿勢（第２の向き）である場合に機能する。第２表示制御部４２は、記憶部２１に記憶されている操作画面情報２７から表示部２３に表示するための操作画面を読み出し、表示部２３の表示領域の一部に操作画面を縮小して配置すると共に、表示領域の残部に操作画面に含まれるコンテンツを配置した第２画面を生成し、その第２画面を表示部２３に表示させる。
【００５９】
すなわち、図４（ｂ）に示すように、表示装置３が第２の向きである場合、表示部２３の表示領域はアスペクト比が９：１６となる。そのため、第２表示制御部４２は、表示部２３の表示領域を、一部の表示領域Ｒ１と、残部の表示領域Ｒ２との２つの領域に分割する。一部の表示領域Ｒ１はアスペクト比が１６：９となる領域であり、例えば第２の向きとなった表示部２３の上部に位置する。残部の表示領域Ｒ２は一部の表示領域Ｒ１を除く領域である。そして第２表示制御部４２は、一部の表示領域Ｒ１に対して操作画面情報２７から読み出した操作画面を縮小して配置し、残部の表示領域Ｒ２に対してその操作画面に含まれるコンテンツを配置した第２画面を生成する。このとき、第２表示制御部４２は、残部の表示領域Ｒ２に表示するコンテンツを縮小することなく配置することが好ましい。したがって、表示装置３が第２の向きのときに表示部２３において表示される第２画面は、操作画面情報２７に記録されている操作画面Ｇ１，Ｇ２，Ｇ３，…を一部の表示領域Ｒ１において縮小させた状態に表示し、且つ、それらの操作画面Ｇ１，Ｇ２，Ｇ３，…に含まれるコンテンツを残部の表示領域Ｒ２において表示させた画面となる。
【００６０】
第２表示制御部４２は、残部の表示領域Ｒ２に対して操作画面に含まれるコンテンツを配置するとき、コンテンツ登録情報２８に基づいて操作画面に含まれる複数のコンテンツのうちから残部の表示領域Ｒ２に表示すべきコンテンツを抽出する。すなわち、第２表示制御部４２は、操作画面に含まれる複数のコンテンツの全てを残部の表示領域Ｒ２に配置するのではなく、コンテンツ登録情報２８に予め登録されているコンテンツだけを残部の表示領域Ｒ２への配置対象として抽出するのである。ただし、コンテンツ登録情報２８において、操作画面に含まれる全てのコンテンツが残部の表示領域Ｒ２への配置対象として予め登録されている場合、第２表示制御部４２は、操作画面に含まれる全てのコンテンツを残部の表示領域Ｒ２への配置対象として抽出することになる。そして第２表示制御部４２は、コンテンツ登録情報２８に基づいて抽出したコンテンツを、残部の表示領域Ｒ２に配置し、第２画面を生成する。
【００６１】
図５は、コンテンツ登録情報２８の一例を示す図である。図５に示すように、コンテンツ登録情報２８は、操作画面の項目２８ａと、コンテンツの項目２８ｂと、表示位置の項目２８ｃと、抽出表示設定の項目２８ｄと、優先順位の項目２８ｅとが相互に対応付けられた情報である。操作画面の項目２８ａには、表示部２３において表示可能な操作画面が全て登録されている。コンテンツの項目２８ｂには、各操作画面に含まれる全てのコンテンツが登録されている。すなわち、各操作画面には、ユーザーに対するメッセージとなる文字列、ユーザーが操作可能な操作ボタン、プレビュー画像を表示するためのプレビュー領域などの様々なコンテンツが含まれる。そのため、コンテンツの項目２８ｂには、１つの操作画面に含まれるそれら複数のコンテンツの全てが予め登録されている。表示位置の項目２８ｃには、操作画面中における各コンテンツの表示位置に関する情報が登録されている。この表示位置の項目２８ｃを参照すれば、操作画面中において各コンテンツがどの位置に含まれているかを把握することができる。
【００６２】
抽出表示設定の項目２８ｄは、表示装置３が第２の向きになったときに、操作画面に含まれる複数のコンテンツのうちから残部の表示領域Ｒ２へ配置すべきコンテンツを登録した情報である。すなわち、抽出表示設定の項目２８ｄにおいて「ＯＮ」に設定されているコンテンツが、表示装置３が第２の向きになったときに残部の表示領域Ｒ２へ配置されるコンテンツである。これに対し、抽出表示設定の項目２８ｄにおいて「ＯＦＦ」に設定されているコンテンツは、表示装置３が第２の向きになった場合でも残部の表示領域Ｒ２へ配置されない。
【００６３】
優先順位の項目２８ｅは、抽出表示設定の項目２８ｄにおいて「ＯＮ」に設定されているコンテンツの優先順位を登録した情報である。図５の例では、「Ｈｉｇｈ」と「Ｌｏｗ」の２段階の優先順位が登録されている。ただし、優先順位の段階は２段階に限られるものではなく、３段階以上の優先順位が定められたものであっても構わない。
【００６４】
第２表示制御部４２は、表示部２３に表示する操作画面に対応する抽出表示設定の項目２８ｄに基づいて操作画面から残部の表示領域Ｒ２へ配置するコンテンツを抽出し、さらに優先順位の項目２８ｅに基づいてその抽出したコンテンツを残部の表示領域Ｒ２へ配置していくことにより、第２画面を生成する。そして第２表示制御部４２は、第２の向きである表示部２３へ第２画面を出力して表示させる。
【００６５】
操作検知部３１は、操作部２４から入力する情報に基づいてユーザーの操作を検知するものである。上述したように操作部２４は、ユーザーの操作を検知すると、ユーザーの操作位置を示す情報をＣＰＵ２０へ出力する。操作検知部３１は、操作位置を示す情報を取得することにより、ユーザーによって操作が行われたことを把握する。そして操作検知部３１は、ユーザーの操作位置に基づいてユーザーによって行われた操作がどのような操作であるかを特定し、その特定した操作に応じた処理を行う。例えばユーザーによって行われた操作が操作画面を更新させる操作である場合、操作検知部３１は、表示制御部３０に対して操作画面の更新を指示する。これに対し、ユーザーによって行われた操作がジョブの設定操作やジョブの実行指示であった場合、操作検知部３１は、通信インタフェース２２を介して装置本体にジョブの設定指示や実行指示を送出する。
【００６６】
コンテンツ設定部３２は、上述したコンテンツ登録情報２８における抽出表示設定の項目２８ｄと優先順位の項目２８ｅとをユーザーによる設定操作に基づいて設定変更する処理部である。コンテンツ設定部３２は、例えばユーザーによってコンテンツ登録情報２８の編集が指定された場合に機能し、表示制御部３０を介して表示部２３にコンテンツ登録情報２８を設定変更するための画面を表示させる。表示部２３に設定変更画面が表示されると、ユーザーは、コンテンツ登録情報２８における抽出表示設定の項目２８ｄと優先順位の項目２８ｅとを編集することができる。すなわち、ユーザーは、表示装置３が第２の向きであるときに残部の表示領域Ｒ２へ表示させるコンテンツを追加したり、削除したりすることができる。またユーザーは、残部の表示領域Ｒ２へ表示させるコンテンツの優先順位を変更することも可能である。そしてコンテンツ設定部３２は、ユーザーによる操作に基づき、コンテンツ登録情報２８を更新する。
【００６７】
ステータス管理部３３は、装置本体２のステータス管理部１６から出力される画像処理装置１のステータスを管理する。すなわち、ステータス管理部３３は、画像処理装置１のステータスが正常状態と異常状態のいずれであるかをリアルタイムで管理するものである。したがって、装置本体２において紙詰まりやトナーエンプティ、用紙エンプティなどの異常が検知されると、ステータス管理部３３は、画像処理装置１が異常状態になったことを検知することができる。
【００６８】
次に表示制御部３０による画面制御の例について説明する。図６は、表示部２３に表示される第１画面１００及び第２画面２００の例を示す図である。図６（ａ）は表示装置３が第１の向きである場合に表示される第１画面１００を示しており、図６（ｂ）は表示装置３が第２の向きである場合に表示される第２画面２００を示している。
【００６９】
まず表示装置３が第１の向きである場合、上述したように表示制御部３０において第１表示制御部４１が機能する。第１表示制御部４１は、操作画面情報２７から表示部２３に表示すべき操作画面Ｇ１を読み出し、その操作画面Ｇ１を表示部２３の表示領域の全体に配置して表示させる。その結果、表示装置３が第１の向きである場合には、図６（ａ）に示すように、操作画面Ｇ１が全画面表示される第１画面１００が表示部２３に表示される。図６（ａ）に示す操作画面Ｇ１には、例えばユーザーに対するメッセージである文字列１０１、ユーザーが操作可能な複数の操作ボタン１０２、ユーザーによる設定内容に応じて原稿がどのように出力されるかを画像で表すための画像表示領域１０３などがコンテンツとして含まれている。
【００７０】
次に表示装置３の姿勢が第１の向きから第２の向きに変化すると、表示制御部３０において第２表示制御部４２が機能する。そして第２表示制御部４２は、第１表示制御部４１が表示していた操作画面Ｇ１を取得し、その操作画面Ｇ１を縮小し、表示部２３の一部の表示領域Ｒ１に配置する。また第２表示制御部４２は、コンテンツ登録情報２８に基づいて操作画面Ｇ１に含まれる複数のコンテンツのうちから、残部の表示領域Ｒ２に表示すべきコンテンツを抽出する。すなわち、第２表示制御部４２は、コンテンツ登録情報２８において操作画面Ｇ１に対応する抽出表示設定の項目２８ｄを参照し、「ＯＮ」に設定されているコンテンツを全て抽出するのである。そして第２表示制御部４２は、操作画面Ｇ１から抽出したコンテンツを、優先順位の項目２８ｅに基づいて残部の表示領域Ｒ２に配置する。このとき、第２表示制御部４２は、優先順位の高いコンテンツを残部の表示領域Ｒ２の上部から順に配置していく。その結果、図６（ｂ）に示すような第２画面２００が生成される。図６（ｂ）では、操作画面Ｇ１に含まれる操作ボタン１０２と文字列１０１とが抽出され、残部の表示領域Ｒ２に配置された例を示している。また図６（ｂ）では、操作ボタン１０２の優先順位が文字列１０１の優先順位よりも高い場合を例示している。
【００７１】
第２表示制御部４２は、操作画面Ｇ１に含まれるコンテンツを残部の表示領域Ｒ２に配置するとき、第１画面１００において表示されるコンテンツサイズと同サイズ以上で配置する。すなわち、第２表示制御部４２は、操作画面Ｇ１から抽出したコンテンツをそのままのサイズで配置しても良いし、サイズを拡大して配置しても良い。これにより、残部の表示領域Ｒ２に配置されるコンテンツの視認性及び操作性を確保することができる。
【００７２】
また第２表示制御部４２は、操作画面Ｇ１に含まれるコンテンツを残部の表示領域Ｒ２へ配置するとき、コンテンツ登録情報２８の表示位置の項目２８ｃを参照し、操作画面Ｇ１における各コンテンツの表示位置を特定する。そして第２表示制御部４２は、一部の表示領域Ｒ１において縮小して配置する操作画面Ｇ１において、残部の表示領域Ｒ２に配置したコンテンツが含まれている位置にフレーム画像２１０を配置する。このフレーム画像２１０は、残部の表示領域Ｒ２に配置されるコンテンツが、縮小表示される操作画面Ｇ１に含まれる複数のコンテンツのうちのどれに対応するコンテンツであるかをユーザーに示すためのインジケーターである。したがって、ユーザーは、フレーム画像２１０を確認することにより、残部の表示領域Ｒ２に表示されるコンテンツが縮小された操作画面Ｇ１のどこに存在するコンテンツであるかを把握することができる。
【００７３】
表示装置３が第２の向きのときには、図６（ｂ）に示すような第２画面２００が表示部２３に表示されることにより、ユーザーは、操作画面Ｇ１の全体を把握することができると共に、残部の表示領域Ｒ２に表示される操作ボタン１０２に対してジョブの設定操作などを行うことができる。したがって、表示装置３の姿勢が変化した場合であっても、操作画面Ｇ１に対する操作性が低下せず、使い勝手の良い画面を表示することができるようになる。
【００７４】
また図６（ｂ）に示すような第２画面２００が表示されているとき、操作検知部３１は、残部の表示領域Ｒ２に表示されている操作ボタン１０２に対する操作だけでなく、一部の表示領域Ｒ１において縮小表示されている操作画面Ｇ１に対する操作も受け付ける。そのため、ユーザーは、縮小されていない操作ボタン１０２に対する操作を行えるだけでなく、縮小された操作画面Ｇ１に対しても操作を行うことができる。したがって、第２画面２００は、一部及び残部のいずれの表示領域Ｒ１，Ｒ２においても操作を行うことができる画面であることからも、ユーザーにとって使い勝手の良い画面である。
【００７５】
また第２表示制御部４２は、ステータス管理部３３によって管理される画像処理装置１のステータスが正常状態である場合、コンテンツ登録情報２８における優先順位の項目２８ｅに基づいて各コンテンツを残部の表示領域Ｒ２へ表示する。ただし、コンテンツ登録情報２８において、残部の表示領域Ｒ２への表示対象として指定されている複数のコンテンツの優先順位が同一順位であることもある。そのような場合、第２表示制御部４２は、ユーザーが操作可能な操作ボタン１０２を他のコンテンツよりも優先的に残部の表示領域Ｒ２へ表示する。これにより、操作ボタン１０２に対する操作性を向上させることができる。
【００７６】
また第２表示制御部４２は、ステータス管理部３３によって管理される画像処理装置１のステータスが異常状態である場合、コンテンツ登録情報２８における優先順位の項目２８ｅにかかわらず、異常状態であることを示すメッセージである文字列を最優先に残部の表示領域Ｒ２へ配置する。これにより、表示装置３が第２の向きであるときに画像処理装置１が異常状態となっていれば、ユーザーに対して異常状態であることを効果的に通知することができる。
【００７７】
図７は、画像処理装置１が異常状態である場合に表示部２３に表示される第１画面１００及び第２画面２００の例を示す図である。図７（ａ）は表示装置３が第１の向きである場合に表示される第１画面１００を示しており、図７（ｂ）は表示装置３が第２の向きである場合に表示される第２画面２００を示している。
【００７８】
図７（ａ）に示すように表示装置３が第１の向きである場合、表示部２３には第１画面１００が表示される。このとき、画像処理装置１は異常状態であるため、第１画面１００には、異常状態であることを示す文字列１０５が表示される。尚、図７では、画像処理装置１において紙詰まりが発生している場合を例示しているが、トナーエンプティや用紙エンプティなどの他の異常が発生した場合も同様に異常であることを示す文字列１０５が表示される。
【００７９】
図７（ｂ）に示すように表示装置３が第２の向きである場合、第２表示制御部４２は、上記と同様にして第２画面２００を生成する。このとき、画像処理装置１は異常状態であるため、第２表示制御部４２は、操作画面Ｇ１に含まれる複数のコンテンツのうちから異常状態であることを示す文字列１０５を最優先で残部の表示領域Ｒ２へ配置する。したがって、ユーザーが操作可能な操作ボタン１０２は、文字列１０５よりも優先度の低い位置へ配置されることになる。その結果、図７（ｂ）に示すような第２画面２００が生成され、表示部２３に表示される。図７（ｂ）に示す第２画面２００では、異常状態であることを示す文字列が縮小されることなく残部の表示領域Ｒ２に表示されるため、ユーザーは、画像処理装置１が異常状態であることを把握することができる。
【００８０】
第２表示制御部４２は、表示部２３に第２画面２００を表示している状態で一部の表示領域Ｒ１の操作画面を更新するとき、更新後の操作画面に基づいて新たな第２画面２００を生成し、表示部２３の第２画面２００を更新する。図８は、第２表示制御部４２による第２画面２００の更新例を示す図である。図８（ａ）は、操作画面Ｇ２に基づく第２画面２００を表示している。操作画面Ｇ２は、ユーザーによってスキャン機能が選択された場合の宛先選択画面の一例を示しており、ユーザーが選択可能な複数のタブのうち、画像処理装置１に予め登録されているアドレス帳の中から画像データの送信先を選択するためのタブ２２１が選択された状態の画面を示している。このような操作画面Ｇ２は、表示部２３の一部の表示領域Ｒ１に縮小させた状態で表示される。一方、表示部２３の残部の表示領域Ｒ２には、図８（ａ）に示すように、ユーザーが操作可能な操作ボタンと、ユーザーに対するメッセージである文字列とが表示されている。
【００８１】
図８（ａ）に示すような第２画面２００が表示されている状態で、ユーザーが操作画面Ｇ２のタブ２２２を選択すると、第２表示制御部４２は、図８（ａ）に示す第２画面２００を、図８（ｂ）に示す第２画面２００に切り替える。すなわち、図８（ｂ）の第２画面２００は、タブ２２２が選択された状態の操作画面Ｇ３を一部の表示領域Ｒ１に表示し、その操作画面Ｇ３に含まれるコンテンツを残部の表示領域Ｒ２に表示する画面となる。このとき、第２表示制御部４２は、上記と同様に、コンテンツ登録情報２８において操作画面Ｇ３に対応する抽出表示設定及び優先順位の項目２８ｄ，２８ｅに基づいて操作画面Ｇ３に含まれるコンテンツを抽出し、残部の表示領域Ｒ２へ配置する。
【００８２】
また操作画面Ｇ３に基づく第２画面２００が表示されているときに、ユーザーが再びタブ２２１を選択すると、第２表示制御部４２は、図８（ｂ）に示す第２画面２００を再び図８（ａ）に示す第２画面２００へ戻す。このように第２表示制御部４２は、表示部２３に第２画面２００を表示している状態で操作画面を更新するときには、更新後の操作画面に対応するコンテンツ登録情報２８に基づいて、更新後の操作画面に対応する第２画面２００を生成し、表示部２３における第２画面２００を更新する。つまり、表示装置３が第２の向きである状態であっても、第２画面２００をユーザーの操作に応じて更新することが可能である。したがって、ユーザーにとっては表示装置３の姿勢を第１の向きに戻すことなく、操作を継続させることが可能であり、操作性に優れている。
【００８３】
次に操作画面にプレビュー画像が含まれる場合を例示する。図９は、プレビュー画像１０６を含む操作画面Ｇ４が表示される場合の第１画面１００及び第２画面２００の例を示す図である。図９（ａ）は表示装置３が第１の向きである場合に表示される第１画面１００を示しており、図９（ｂ）は表示装置３が第２の向きである場合に表示される第２画面２００を示している。
【００８４】
表示装置３が第１の向きであるとき、プレビュー画像１０６を含む操作画面Ｇ４は、第１画面１００において全画面表示される。プレビュー画像１０６は、例えばスキャン機能により原稿を読み取って生成された画像データに基づく画像である。ただし、これに限られるものではなく、例えばプリントジョブの実行対象として取得された画像データに基づく画像であっても構わない。図９（ａ）に示すように第１画面１００において操作画面Ｇ４が全画面表示されると、ユーザーにとってプレビュー画像１０６を確認し易い。しかし、表示装置３が第２の向きに変更されると、操作画面Ｇ４が縮小された状態で表示部２３の一部の表示領域Ｒ１に配置されるため、ユーザーにとっては操作画面Ｇ４内のプレビュー画像１０６を確認することが困難になる。
【００８５】
このような場合、コンテンツ登録情報２８において、操作画面Ｇ４に対応する抽出表示設定の項目２８ｄに、プレビュー画像１０６を表示するコンテンツを予め登録しておくことにより、図９（ｂ）に示すように第２画面２００においてプレビュー画像１０６を拡大表示させることができる。すなわち、第２表示制御部４２は、表示装置３が第２の向きに変更されると、操作画面Ｇ４に対応する抽出表示設定の項目２８ｄに基づいて残部の表示領域Ｒ２に表示すべきコンテンツを抽出する。そのため、操作画面Ｇ４に対応する抽出表示設定の項目２８ｄにプレビュー画像１０６を表示するコンテンツが含まれていれば、第２表示制御部４２は、操作画面Ｇ４からプレビュー画像１０６を抽出して残部の表示領域Ｒ２へ配置する。その結果、図９（ｂ）に示すような第２画面２００が表示されるようになり、表示装置３が第２の向きであっても、ユーザーはプレビュー画像１０６を確認することができる。
【００８６】
尚、表示装置３が第２の向きから第１の向きに姿勢変更されると、表示部２３は、図９（ｂ）の第２画面２００を表示している状態から図９（ａ）の第１画面１００を表示する状態へと戻る。
【００８７】
また第２表示制御部４２は、第２画面２００を生成するとき、残部の表示領域Ｒ２への配置対象となる複数のコンテンツの全てを残部の表示領域Ｒ２へ表示することができない場合にはそれら複数のコンテンツをスクロール可能な状態で残部の表示領域Ｒ２へ配置する。図１０は、その場合の第１画面１００及び第２画面２００の例を示す図である。図１０（ａ）は表示装置３が第１の向きである場合に表示される第１画面１００を示しており、図１０（ｂ）は表示装置３が第２の向きである場合に表示される第２画面２００を示している。
【００８８】
図１０（ａ）に示す操作画面Ｇ２は、ユーザーによってスキャン機能が選択された場合の宛先選択画面の一例を示している。この操作画面Ｇ２には、ユーザーがスキャン設定を行うための複数の操作ボタン１０２と、画像処理装置１に予め登録されている複数の送信先のそれぞれに対応する複数の操作ボタン１０８とが含まれる。コンテンツ登録情報２８の抽出表示設定の項目２８ｄにおいて、複数の操作ボタン１０２，１０８の全てが残部の表示領域Ｒ２に配置すべきコンテンツとして登録されている場合、第２表示制御部４２は、第２画面２００を生成するとき、複数の操作ボタン１０２，１０８の全てを残部の表示領域Ｒ２へ配置する。このとき、サイズを縮小することなく複数の操作ボタン１０２，１０８の全てを残部の表示領域Ｒ２へ配置することができない場合、第２表示制御部４２は、図１０（ｂ）に示すように残部の表示領域Ｒ２の右端にスクロールバー２１２を配置し、複数の操作ボタン１０２，１０８をスクロール表示可能な状態で配置する。したがって、第２画面２００が表示されたとき、ユーザーは、残部の表示領域Ｒ２をスクロールさせることにより、複数の操作ボタン１０２，１０８の全てを確認することが可能であり、所望の操作ボタンを操作することができる。すなわち、ユーザーは、表示装置３の姿勢を第１の向きに変更することなく、第２の向きのままで所望の操作ボタンに対する操作を行うことが可能であり、操作性に優れている。
【００８９】
次に表示装置３において行われる処理手順について説明する。図１１は、表示装置３において行われる処理手順の一例を示すフローチャートである。尚、この処理は、表示装置３においてＣＰＵ２０がプログラム２６を実行することによって行われる処理である。
【００９０】
表示装置３は、この処理を開始すると、まず操作画面情報２７を読み出し、操作画面情報２７の中から表示部２３に表示すべき操作画面を取得する（ステップＳ１０）。次に表示装置３は、姿勢検知センサー２５の出力に基づき表示装置３の姿勢を検知する（ステップＳ１１）。すなわち、表示装置３は、現在の姿勢が第１の向きと第２の向きのいずれであるかを検知する。表示装置３は、現在の姿勢が第１の向きであるか否かを判断し（ステップＳ１２）、第１の向きである場合（ステップＳ１２でＹＥＳ）、ステップＳ１０で取得した操作画面を表示部２３の全体の表示領域Ｒに対して配置する（ステップＳ１３）。これにより、表示装置３が第１の向きであるときに、表示部２３に表示するための第１画面１００が生成される。
【００９１】
一方、表示装置３の現在の姿勢が第２の向きである場合（ステップＳ１２でＮＯ）、表示装置３は、ステップＳ１０で取得した操作画面を縮小し、表示部２３の一部の表示領域Ｒ１へ配置する（ステップＳ１４）。そして表示装置３は、コンテンツ登録情報２８を読み出し（ステップＳ２８）、コンテンツ登録情報２８に基づいて操作画面に含まれるコンテンツを抽出する（ステップＳ１６）。また表示装置３は、コンテンツ登録情報２８に登録されている各コンテンツの優先順位を確認する（ステップＳ１７）。
【００９２】
表示装置３は、ステータス管理部３３において管理されている画像処理装置１の現在のステータスを確認し、異常状態であるか否かを判断する（ステップＳ１８）。画像処理装置１が異常状態である場合（ステップＳ１８でＹＥＳ）、表示装置３は、画像処理装置１の状態を表示する文字列、すなわち異常状態であることをユーザーに示す文字列を最優先コンテンツに設定し（ステップＳ１９）、その文字列を残部の表示領域Ｒ２に対して優先的に配置する（ステップＳ２０）。したがって、画像処理装置１が異常状態であれば、コンテンツ登録情報２８に登録されている最も優先順位の高いコンテンツよりも、異常状態であることを示すコンテンツが優先的に残部の表示領域Ｒ２に配置されることになる。表示装置３は、異常状態であることを示すコンテンツを優先的に配置した後、ステップＳ１７で確認した優先順位に基づき、コンテンツ登録情報２８において設定されている各コンテンツを残部の表示領域Ｒ２に配置する。これに対し、画像処理装置１が異常状態ではなく、正常状態であった場合（ステップＳ１８でＮＯ）、表示装置３は、ステップＳ１７で確認した優先順位に基づき、コンテンツ登録情報２８において設定されている各コンテンツを残部の表示領域Ｒ２に配置する（ステップＳ２１）。以上で、表示装置３が第２の向きであるときに、表示部２３に表示するための第２画面２００が生成される。
【００９３】
その後、表示装置３は、ステップＳ１３で生成した第１画面１００、又は、ステップＳ１４〜Ｓ２１で生成した第２画面２００を表示部２３に表示させる（ステップＳ２２）。第１画面１００又は第２画面２００を表示した後、表示装置３は、姿勢変化を検知したか否かを判断し（ステップＳ２３）、姿勢変化を検知している場合（ステップＳ２３でＹＥＳ）、ステップＳ１２に戻って上述した処理を繰り返す。
【００９４】
また姿勢変化を検知していない場合（ステップＳ２３でＮＯ）、表示装置３は、操作画面を更新する必要があるか否かを判断する（ステップＳ２４）。例えばユーザーによる操作に基づいて操作画面を更新する必要がある場合、表示装置３は、ステップＳ２４においてＹＥＳと判断する。操作画面を更新する必要がある場合（ステップＳ２４でＹＥＳ）、表示装置３による処理はステップＳ１０へ戻り、上述した処理を繰り返す。
【００９５】
さらに操作画面を更新する必要がない場合（ステップＳ２４でＮＯ）、表示装置３は、表示部２３に対する表示処理を終了させるか否かを判断する（ステップＳ２５）。表示処理を終了させない場合（ステップＳ２５でＮＯ）、表示装置３は、ステップＳ２３に戻って上述した判断を繰り返す。これに対し、例えば表示装置３に対する電源供給が停止された場合には表示終了となり（ステップＳ２５でＹＥＳ）、表示装置３による処理が終了する。
【００９６】
以上のように本実施形態における表示装置３は、長方形状の表示領域を有する表示部２３の向きが第１の向きと第２の向きのいずれであるかを検知し、第１の向きである場合に、ユーザーが操作可能な操作画面を表示領域の全体に配置した第１画面１００を表示部２３に表示させる第１表示制御部４１と、表示部２３の向きが第２の向きである場合に、表示領域の一部に操作画面を縮小して配置すると共に、表示領域の残部に操作画面に含まれるコンテンツを配置した第２画面２００を表示部２３に表示させる第２表示制御部４２と、を備えている。このような構成を有する表示装置３によれば、表示装置３の向きを変更したときに、ユーザーが所望の操作を行うことができなくなるといった不具合を解消することが可能であり、ユーザーによる操作性を低下させず、使い勝手の良い画面を表示することができるようになる。
【００９７】
また本実施形態の画像処理装置１は、表示装置３によって検知されるユーザーの操作に基づいてジョブの実行を制御するジョブ制御部１５を備えている。このジョブ制御部１５は、第１表示制御部４１によって第１画面１００が表示されているときには、表示部２３の全体の表示領域Ｒで表示される操作画面に対するユーザーの操作に基づいてジョブの実行を制御する。またジョブ制御部１５は、第２表示制御部４２によって第２画面２００が表示されているときには、表示部２３の一部の表示領域Ｒ１に縮小して表示される操作画面、又は、表示部２３の残部の表示領域Ｒ２において表示されるコンテンツ、に対するユーザーの操作に基づいてジョブの実行を制御する。したがって、本実施形態の画像処理装置１は、表示装置３が第１の向きと第２の向きのいずれであっても、第１画面１００又は第２画面２００に対するユーザーの操作に基づいてジョブを実行することが可能であり、ユーザーにとって使い勝手の良い装置となっている。
【００９８】
（第２実施形態）
次に本発明の第２実施形態について説明する。上述した第１実施形態では、表示装置３の記憶部２１に操作画面情報２７及びコンテンツ登録情報２８が記憶されており、表示装置３のＣＰＵ２０が表示制御部３０として機能し、表示装置３の姿勢に応じて表示部２３に表示する画面を第１画面１００及び第２画面２００のいずれか一方に切り替える場合を例示した。これに対し、本実施形態では、装置本体２において表示装置３に表示する画面の切り替え制御を行う一形態について説明する。
【００９９】
図１２は、第２実施形態における画像処理装置１のハードウェア構成及び機能構成の一例を示すブロック図である。図１２に示すように、本実施形態の装置本体２は、第１実施形態で説明した構成に加え、パネル制御部３４と、記憶部２１とを備えている。記憶部２１は、第１実施形態において表示装置３に設けられていたものと同様であり、操作画面情報２７と、コンテンツ登録情報２８とを記憶している。
【０１００】
パネル制御部３４は、表示装置３を制御するものである。パネル制御部３４は、図示を省略するＣＰＵとメモリとを備えており、ＣＰＵが所定のプログラムを実行することにより、表示制御部３０、コンテンツ設定部３２及びステータス管理部３３として機能する。そして表示制御部３０は、第１表示制御部４１及び第２表示制御部４２を備えている。つまり、本実施形態の画像処理装置１は、第１実施形態で説明した表示制御部３０、コンテンツ設定部３２及びステータス管理部３３の機能を装置本体２において機能させるように構成されている。
【０１０１】
これに対し、表示装置３は、ＣＰＵ２０が所定のプログラムを実行することにより、表示処理部３５、操作検知部３１及び姿勢通知部３６として機能する。表示処理部３５は、装置本体２の表示制御部３０から出力される第１画面１００又は第２画面２００を表示部２３に表示する。操作検知部３１は、操作部２４によって受け付けられるユーザーの操作に基づき、操作情報を生成して装置本体２へ出力する。これにより、装置本体２の表示制御部３０は、ユーザーの操作に応じて第１画面１００又は第２画面２００を更新することができる。姿勢通知部３６は、姿勢検知センサー２５によって検知される表示装置３の姿勢を装置本体２へ通知するものである。
【０１０２】
したがって、本実施形態の画像処理装置１は、装置本体２において機能する表示制御部３０が、表示装置３の姿勢に応じて表示部２３に表示される画面を第１画面１００及び第２画面２００のいずれか一方に切り替える制御を行う。このような構成であっても、第１実施形態で説明した作用効果と同様の作用効果を奏すること可能である。
【０１０３】
また本実施形態の画像処理装置１は、第１実施形態で説明した表示装置３の機能の一部を装置本体２に搭載したものであると言える。そのため、本実施形態の画像処理装置１は、全体として、第１実施形態で説明した表示装置３として動作するものである。
【０１０４】
尚、本実施形態において上述した点以外については、第１実施形態で説明したものと同様である。
【０１０５】
（変形例）
以上、本発明に関する幾つかの実施形態について説明したが、本発明は、上記実施形態において説明した内容のものに限られるものではなく、種々の変形例が適用可能である。
【０１０６】
例えば上記実施形態においては、表示装置３が図１（ａ）に示すように表示部２３の長手方向が左右方向（横方向）となる第１の向きを基本姿勢としており、第１の向きであるときに操作画面を全画面表示し、第２の向きであるときに操作画面を表示部２３の一部の表示領域Ｒ１に縮小して表示すると共に、残部の表示領域Ｒ２に操作画面に含まれるコンテンツを縮小することなく表示する例を説明した。しかし、基本姿勢とする表示装置３の向きは、上記実施形態で説明した向きとは逆であっても構わない。
【０１０７】
図１３は、表示部２３の長手方向が上下方向（縦方向）となる向きを基本姿勢（第１の向き）とした場合の画面例を示す図である。図１３（ａ）に示すように表示部２３が基本姿勢である場合、表示部２３には、操作画面が全画面表示される。これに対し、図１３（ｂ）に示すように、表示部２３の姿勢が基本姿勢から９０度回転した姿勢（第２の向き）に変更されると、表示部２３の一部の表示領域Ｒ１に操作画面が縮小した状態で配置され、残部の表示領域Ｒ２に操作画面に含まれるコンテンツが配置された画面が表示されるようにしても良い。
【０１０８】
また上述した表示装置３は、一般的なタブレット端末などによって構成されるものであっても良い。すなわち、上述した表示装置３は、画像処理装置１の専用品として設けられるものに限られず、一般的なタブレット端末などを用いて実現することも可能である。この場合、一般的な表示装置３において上述したプログラム２６をインストールして実行させることにより、表示装置３が第１の向きにあるときと第２の向きにあるときとで表示部２３に表示する画面を切り替えることが可能になり、上記と同様の作用効果を奏する。
【０１０９】
また上記実施形態では、表示装置３が画像処理装置１の表示手段として設けられる場合を例示したが、表示装置３の用途は必ずしも画像処理装置１の表示手段としての用途に限られない。すなわち、上述した表示装置３は、画像処理装置１以外の装置にも適用可能である。
【０１１０】
また上述したプログラム２６は表示装置３に予めインストールされている場合を例示した。しかし、プログラム２６は、表示装置３に予めインストールされているものに限られず、それ単独で取引の対象となるものであっても構わない。その場合、プログラム２６は、インターネットなどを介して提供されるものであっても良いし、ＣＤ−ＲＯＭなどのコンピュータ読み取り可能な記録媒体に記録された状態で提供されるものであっても構わない。
【符号の説明】
【０１１１】
１  画像処理装置
３  表示装置
１２  スキャナ部（画像読取手段）
１５  ジョブ制御部（ジョブ制御手段）
２１  記憶部（記憶手段）
２３  表示部（表示手段）
２５  姿勢検知センサー（検知手段）
２６  プログラム
２８  コンテンツ登録情報
３０  表示制御部
３２  コンテンツ設定部（コンテンツ設定手段）
３３  ステータス管理部（ステータス管理手段）
４１  第１表示制御部（第１表示制御手段）
４２  第２表示制御部（第２表示制御手段）
【図１】
2019121948.tif 000003
【図２】
2019121948.tif 000004
【図３】
2019121948.tif 000005
【図４】
2019121948.tif 000006
【図５】
2019121948.tif 000007
【図６】
2019121948.tif 000008
【図７】
2019121948.tif 000009
【図８】
2019121948.tif 000010
【図９】
2019121948.tif 000011
【図１０】
2019121948.tif 000012
【図１１】
2019121948.tif 000013
【図１２】
2019121948.tif 000014
【図１３】
2019121948.tif 000015